(57)【要約】【課題】  垂木間に装着される断熱パネルであって垂木間に装着された状態では脱落を防止することができ、かつ、輸送が容易な断熱パネルを提供する。【解決手段】  断熱パネル１０は、断熱板２０と、この断熱板２０の幅方向両端部にそれぞれ取付けられる端部材３０とを備えている。上記断熱板２０の幅方向両端部のそれぞれには、断熱板２０の奥行き方向に沿って当該断熱板２０が下面２０ａから切り込まれてその方向に延びる切込２２が形成されているとともに、この切込２２が形成されることによりその上側に薄肉部２４が形成され、この薄肉部２４を支点として上記両端部が上方に略１８０°折り返し可能となっている。上記各端部材３０は、上記断熱板２０の下面２０ａに沿う平坦面３２ａを有するとともに、この平坦面３２ａが上記切込２２を覆う状態で上記断熱板２０における上記切込２２から外側の両端部の下面２０ａにそれぞれ取付けられている。【選択図】      図２
2006125138.tif 000002
【特許請求の範囲】
【請求項１】
建造物屋根部分の垂木間に装着される断熱パネルであって、幅方向が上記垂木が並ぶ方向となるとともに奥行き方向が上記垂木が延びる方向となるように設置される断熱板と、この断熱板の幅方向両端部にそれぞれ取付けられる端部材とを備え、
上記断熱板の幅方向両端部のそれぞれには、断熱板の奥行き方向に沿って当該断熱板が下面から切り込まれてその方向に延びる切込が形成されているとともに、この切込が形成されることによりその上側に薄肉部が形成され、この薄肉部を支点として上記両端部が上方に略１８０°折り返し可能となっており、
上記各端部材は、上記断熱板の下面に沿う平坦面を有するとともに、この平坦面が上記切込を覆う状態で上記断熱板における上記切込から外側の両端部の下面にそれぞれ取付けられていて、上記薄肉部を支点として上記断熱板の両端部が略１８０°折り返されたときに上記端部材が上記断熱板の幅方向端部から突出して上記垂木上に載置可能となるように構成されていることを特徴とする断熱パネル。
【請求項２】
上記切込は上記断熱板の下面から所定幅で切り込まれていて上記薄肉部はその所定幅に対応する幅の下面を有しており、この下面は、上記断熱板の幅方向外側から内側に向かうに従って上記薄肉部の肉厚が薄くなるように傾斜していることを特徴とする請求項１に記載の断熱パネル。
【請求項３】
上記双方の切込における上記断熱板の幅方向内側に位置する側面の少なくとも一方の下部は、当該側面の下端部から上方に向かうに従って次第に上記断熱板の幅方向内側から外側に向かうように傾斜していることを特徴とする請求項１または２に記載の断熱パネル。
【請求項４】
上記断熱板における上記切込の内側近傍部分のそれぞれには、断熱板の奥行き方向に沿って当該断熱板が上面または下面から当該断熱板の幅方向と略直交する方向で切り込まれて１つのまたは複数のスリットが形成されており、このスリットの幅が変動するように上記断熱板が幅方向に弾性変形可能となっていることを特徴とする請求項１〜３のいずれか１項に記載の断熱パネル。
【請求項５】
上記各切込の近傍に形成されたスリットの少なくとも１つは断熱板が下面から切り込まれて形成されており、上記端部材の平坦面は、この断熱板が下面から切り込まれて形成されたスリットをも覆うように構成されていることを特徴とする請求項４に記載の断熱パネル。
【請求項６】
上記端部材は、板状体であることを特徴とする請求項１〜５のいずれか１項に記載の断熱パネル。
【請求項７】
上記端部材は、上記平坦面を構成するベース部と、上記断熱板の幅方向の側面を覆う側壁部とを有し、このベース部及び側壁部は、上記板状体が折り曲げられることにより形成されていることを特徴とする請求項６に記載の断熱パネル。
【請求項８】
上記端部材は、上記平坦面を構成するベース部と、上記断熱板の幅方向の側面を覆う側壁部と、この側壁部に上記ベース部と対向するように設けられて当該ベース部とで上記断熱板をその板厚方向で挟持する挟持片部とを有しており、この端部材は、上記ベース部と挟持片部とが上記断熱板の端部を挟持することにより当該断熱板の端部に取付けられていることを特徴とする請求項１〜５のいずれか１項に記載の断熱パネル。
【請求項９】
上記断熱板の上面には、アルミシートが貼着されていることを特徴とする請求項１〜８のいずれか１項に記載の断熱パネル。
【発明の詳細な説明】
【技術分野】
【０００１】
本発明は、建造物屋根部分の垂木間に装着される断熱パネルに関するものである。
【背景技術】
【０００２】
従来、断熱パネルとしては、建造物屋根部分や壁部分に互いに平行に並設された複数の垂木間や柱間に嵌め込まれて装着されるものが知られている。この断熱パネルにおいては、当該断熱パネルの寸法を上記垂木間や柱間の寸法よりも大きく設定し、その垂木間や柱間に断熱パネルを圧挿して弾性変形させることで断熱パネルの復元力により当該断熱パネルが垂木間や柱間に保持されるようにすることが行われている。
【０００３】
例えば、特許文献１には、断熱パネルの両端部に複数の切込を３ｍｍ程度の間隔で設けて、垂木間や柱間の寸法が施工による寸法誤差により断熱パネルの弾性変形可能な許容寸法よりも小さくなった場合でも上記複数の切込のうち適当な切込に沿って当該両端部を切断することにより断熱パネルの幅寸法を調整して、上記垂木間や柱間に圧挿できるようにした断熱パネルが開示されている。
【特許文献１】実公昭６３−４３２９０号公報
【発明の開示】
【発明が解決しようとする課題】
【０００４】
しかしながら、上記垂木間の空間は一般に下方に開放された状態にあるので、このような垂木間に圧挿された断熱パネルが脱落することを確実に防ぐためには当該断熱パネルをかなり大掛かりな固定金具や釘等により垂木に頑強に固定する必要があり、作業が煩雑となるとともに断熱パネルを装着するための施工コストが高くなる。
【０００５】
また、この脱落を簡易に防止する手段として、断熱パネルを構成する断熱板の上面に当該断熱板の側面から突出するように取付板を貼着し、この取付板を垂木上に載置させるようにすることも考えられるが、このように取付板が突出していると当該断熱パネルを輸送する際に、取付板が邪魔になり、また、取付板に物を当てる等した際に取付板の一部が欠けたりまたは取付板が剥れたりすることがあるため、特別な養生等が必要となる。
【０００６】
本発明は、このような事情に鑑み、垂木間に装着される断熱パネルであって垂木間に装着された状態では脱落を防止することができ、かつ、輸送が容易な断熱パネルを提供することを目的とする。
【課題を解決するための手段】
【０００７】
請求項１に係る発明は、建造物屋根部分の垂木間に装着される断熱パネルであって、幅方向が上記垂木が並ぶ方向となるとともに奥行き方向が上記垂木が延びる方向となるように設置される断熱板と、この断熱板の幅方向両端部にそれぞれ取付けられる端部材とを備え、上記断熱板の幅方向両端部のそれぞれには、断熱板の奥行き方向に沿って当該断熱板が下面から切り込まれてその方向に延びる切込が形成されているとともに、この切込が形成されることによりその上側に薄肉部が形成され、この薄肉部を支点として上記両端部が上方に略１８０°折り返し可能となっており、上記各端部材は、上記断熱板の下面に沿う平坦面を有するとともに、この平坦面が上記切込を覆う状態で上記断熱板における上記切込から外側の両端部の下面にそれぞれ取付けられていて、上記薄肉部を支点として上記断熱板の両端部が略１８０°折り返されたときに上記端部材が上記断熱板の幅方向端部から突出して上記垂木上に載置可能となるように構成されていることを特徴とするものである。
【０００８】
請求項２に係る発明は、請求項１に記載の断熱パネルにおいて、上記切込は上記断熱板の下面から所定幅で切り込まれていて上記薄肉部はその所定幅に対応する幅の下面を有しており、この下面は、上記断熱板の幅方向外側から内側に向かうに従って上記薄肉部の肉厚が薄くなるように傾斜していることを特徴とするものである。
【０００９】
請求項３に係る発明は、請求項１または２に記載の断熱パネルにおいて、上記双方の切込における上記断熱板の幅方向内側に位置する側面の少なくとも一方の下部は、当該側面の下端部から上方に向かうに従って次第に上記断熱板の幅方向内側から外側に向かうように傾斜していることを特徴とするものである。
【００１０】
請求項４に係る発明は、請求項１〜３のいずれか１項に記載の断熱パネルにおいて、上記断熱板における上記切込の内側近傍部分のそれぞれには、断熱板の奥行き方向に沿って当該断熱板が上面または下面から当該断熱板の幅方向と略直交する方向で切り込まれて１つのまたは複数のスリットが形成されており、このスリットの幅が変動するように上記断熱板が幅方向に弾性変形可能となっていることを特徴とするものである。
【００１１】
請求項５に係る発明は、請求項４に記載の断熱パネルにおいて、上記各切込の近傍に形成されたスリットの少なくとも１つは断熱板が下面から切り込まれて形成されており、上記端部材の平坦面は、この断熱板が下面から切り込まれて形成されたスリットをも覆うように構成されていることを特徴とするものである。
【００１２】
請求項６に係る発明は、請求項１〜５のいずれか１項に記載の断熱パネルにおいて、上記端部材は、板状体であることを特徴とするものである。
【００１３】
請求項７に係る発明は、請求項６に記載の断熱パネルにおいて、上記端部材は、上記平坦面を構成するベース部と、上記断熱板の幅方向の側面を覆う側壁部とを有し、このベース部及び側壁部は、上記板状体が折り曲げられることにより形成されていることを特徴とするものである。
【００１４】
請求項８に係る発明は、請求項１〜５のいずれか１項に記載の断熱パネルにおいて、上記端部材は、上記平坦面を構成するベース部と、上記断熱板の幅方向の側面を覆う側壁部と、この側壁部に上記ベース部と対向するように設けられて当該ベース部とで上記断熱板をその板厚方向で挟持する挟持片部とを有しており、この端部材は、上記ベース部と挟持片部とが上記断熱板の端部を挟持することにより当該断熱板の端部に取付けられていることを特徴とするものである。
【００１５】
請求項９に係る発明は、請求項１〜８のいずれか１項に記載の断熱パネルにおいて、上記断熱板の上面には、アルミシートが貼着されていることを特徴とするものである。
【発明の効果】
【００１６】
請求項１に係る発明によれば、断熱板の幅方向両端部を折り返す前の状態では端部材が断熱板の端部から突出しないのでこの状態のときには容易に輸送することができ、しかもこの端部材は、切込を覆うように取付けられているので、輸送時等に異物が切込に噛み込んで、断熱板の両端部が折り返されてしまうことを抑制することができる。
【００１７】
また、輸送後は断熱板の両端部を折り返すことにより上記端部材が断熱板の幅方向端部から突出するので、この状態で当該断熱板を垂木間に嵌め込めば上記端部材を垂木上に載置させることができ、断熱パネルの脱落を防止することができる。
【００１８】
ここで、上記切込及び薄肉部の下面に幅がある場合には、薄肉部における断熱板の幅方向外側の部分を支点として断熱板の両端部が折り返されると、この薄肉部の大部分が折り返されずにそのまま残って当該薄肉部が断熱板を垂木間に嵌め込むときの障害となるおそれがあるのに対し、請求項２に係る発明のように、薄肉部の下面を上記断熱板の幅方向外側から内側に向かうに従って当該薄肉部の肉厚が薄くなるように傾斜していれば、断熱板の両端部の折り返しが薄肉部における断熱板の幅方向内側の部分を支点として行われるようになるので、薄肉部の大部分が折り返されるようになり断熱板をスムーズに垂木間に挿入することができるようになる。
【００１９】
請求項３に係る発明によれば、上記双方の切込における上記断熱板の幅方向内側に位置する側面の少なくとも一方の下部は、当該側面の下端部から上方に向かうに従って次第に上記断熱板の幅方向内側から外側に向かうように傾斜しているので、断熱板の幅方向両端部を折り返したときには断熱板は下向きに先細りとなるため、当該断熱板を垂木間に嵌め込み易くすることができる。
【００２０】
請求項４に係る発明によれば、上記断熱板における上記切込の内側近傍部分のそれぞれにはスリットが形成され、このスリットの幅が変動するように断熱板が幅方向に弾性変形可能となっているので、垂木間の寸法が施工による寸法誤差によって設計値よりもある程度小さくなっている場合でもその寸法に柔軟に対応して断熱板を垂木間に圧挿することができるようになる。
【００２１】
請求項５に係る発明によれば、上記各切込の近傍に形成されたスリットの少なくとも１つは断熱板が下面から切り込まれて形成されており、上記端部材の平坦面は、このスリットをも覆うように構成されているので、端部材を利用して輸送時等に上記スリットに異物が噛み込むことを防止することができる。
【００２２】
請求項６に係る発明のように、上記端部材が板状体であれば、断熱パネルの総厚を小さく抑えることができるため、当該断熱パネルを複数枚積み上げたときの嵩高を小さく抑えることができ、効率良く輸送することができる。
【００２３】
請求項７に係る発明によれば、上記端部材は、上記平坦面を構成するベース部と、上記断熱板の上記垂木が並ぶ方向の側面を覆う側壁部とを有し、このベース部及び側壁部は、上記板状体が折り曲げられることにより形成されているので、ベース部と側壁部とを有した端部材を簡単に形成することができるとともに、この端部材によって輸送時等に破損し易い断熱板のコーナー部及び側面を有効に保護することができる。
【００２４】
請求項８に係る発明によれば、上記端部材は、上記平坦面を構成するベース部と、上記断熱板の幅方向の側面を覆う側壁部と、この側壁部に上記ベース部と対向するように設けられて当該ベース部とで上記断熱板をその板厚方向で挟持する挟持片部とを有しているので、この端部材を断熱板の端部に取付けたときには、当該端部材で断熱板の端部が側方から略コ字状に覆われることになるため、さらに有効に断熱板のコーナー部及び側面を保護することができる。
【００２５】
請求項９に係る発明によれば、上記断熱板の上面にはアルミシートが貼着されているので、このアルミシートによって断熱・遮熱効果を高めることができるだけでなく、断熱板の両端部を折り返したときに薄肉部が破断した場合でも上記アルミシートにおける薄肉部の上側に位置する部分を支点として断熱板の両端部が折り返されるようになり、両端部が分離することを防止することができる。
【発明を実施するための最良の形態】
【００２６】
以下、本発明を実施するための最良の形態について、図面を参照しながら詳細に説明する。
【００２７】
図１〜図４を参照して、本発明の断熱パネル１０は、図１〜図３に示す輸送に適した無変形状態と、図４に示す建造物屋根部分の垂木５０間に装着される設置状態とに切換できるように構成されたものである。
【００２８】
この断熱パネル１０は、上記設置状態では幅方向が上記垂木５０が並ぶ方向となるとともに奥行き方向が上記垂木５０が延びる方向となるように設置される断熱板２０と、この断熱板２０の幅方向両端部にそれぞれ取付けられる複数（図例では２つ）の端部材３０とを備えている。
【００２９】
上記断熱板２０は、幅方向が短く奥行き方向が長い長方形板状をなし、互いに略平行な下面２０ａと上面２０ｂとを有している。この断熱板２０は、発泡合成樹脂からなり、例えば、ポリスチレン、ウレタン、フェノール樹脂等が採用可能である。そして、この断熱板２０の上面２０ｂには、略全面に亘りアルミシート４０が貼着されている。
【００３０】
上記断熱板２０の幅方向両端部のそれぞれには、断熱板２０の奥行き方向に沿って当該断熱板２０が下面２０ｂから切り込まれてその方向に延びる切込２２が形成されているとともに、この切込２２が形成されることによりその上側に薄肉部２４が形成されている（図２参照）。
【００３１】
上記薄肉部２４の肉厚は、上記断熱板２０の幅方向両端部が上方に略１８０°折り返すことができる程度まで薄肉に設定されている。これにより上記断熱板２０の幅方向両端部が当該薄肉部２４を支点として折り返し可能となっている。
【００３２】
より詳しくは、図３に示すように、上記切込２２は上記断熱板２０の下面から所定幅で切り込まれていて上記薄肉部２４はその所定幅に対応する幅の下面２４ａを有している。そして、この下面２４ａは、上記薄肉部２４の肉厚が上記断熱板２０の幅方向外側の部分２４ｃよりも内側の部分２４ｂの方が薄くなるように傾斜している。このように薄肉部２４の下面２４ａが傾斜していることにより、断熱板２０の両端部の折り返しが薄肉部２４における断熱板の幅方向内側の部分２４ｂを支点として行われ易くなっている。
【００３３】
また、上記切込２２を形成する両側面２２ａ，２２ｂのうち断熱板２０の幅方向内側に位置する側面２２ａは、上方に向かうに従って次第に上記断熱板２０の幅方向内側から外側に向かうように傾斜する傾斜面となっている。そして、両切込２２における側面２２ａの上端部同士の間の距離は、上記垂木５０間の寸法よりも若干大きく設定されており、上記断熱板２０の幅方向両端部を折り返した状態で上記垂木５０間に嵌め込む際に当該断熱板２０を圧挿できるようになっている。
【００３４】
さらには、上記断熱板２０における上記切込２２の内側近傍部分のそれぞれには、断熱板２０の奥行き方向に延びる３つのスリット２６ａ，２６ｂ，２６ｃが設けられている。
【００３５】
本実施形態では、上記スリット２６ａ，２６ｂ，２６ｃのうち両端のスリット２６ａ，２６ｃは、断熱板２０が幅方向と直交する方向で下面２０ａから切り込まれて形成されており、真中のスリット２６ｂは、断熱板２０が幅方向と直交する方向で上面２０ｂから切り込まれて形成されている。
【００３６】
そして、これらのスリット２６ａ，２６ｂ，２６ｃによって、上記断熱板２０はこれらのスリット２６ａ，２６ｂ，２６ｃの幅が変動するように幅方向に弾性変形可能となっている。
【００３７】
一方、上記端部材３０は、上記断熱板２０の下面２０ａに取付けられるベース部３２と、上記断熱板２０の幅方向の側面を覆う側壁部３４とを有しており、このベース部３２と側壁部３４とで断面略Ｌ字状をなしている。この端部材３０は、合成樹脂等からなる板状体が折り曲げ形成されることにより構成されている。
【００３８】
上記ベース部３２の上面は、上記断熱板２０の下面２０ａに沿う平坦面３２ａとなっており、この平坦面３２ａは、上記切込２２を覆うとともに、上記スリット２６ａ，２６ｂ，２６ｃのうち断熱板２０の幅方向外側に位置するスリット２６ｃをも覆うことができる大きさに設定されている。
【００３９】
そして、上記端部材３０は、上記ベース部３２の平坦面３２ａが上記断熱板２０における上記切込２２から外側の両端部の下面２０ａに接着剤等で接着されることにより、断熱板２０の両端部に取付けられている。なお、本実施形態では、上記側壁部３４も上記断熱板２０の幅方向の側面に同じく接着剤等で接着されている。
【００４０】
また、この端部材３０は、上記断熱板２０の両端部が上記薄肉部２４を支点として略１８０°折り返されたときには、上記断熱板２０の幅方向端部から突出して、図４に示すように上記垂木５０上に載置できるようになっている。
【００４１】
以上説明したように、本実施形態の断熱パネル１０では、図１〜図３に示す断熱板２０の幅方向両端部を折り返す前の無変形状態では上記端部材３０が上記断熱板２０の端部から突出しないのでこの状態のときには容易に輸送することができ、しかもこの端部材３０は、上記切込２２を覆うように取付けられているので、輸送時等に異物が上記切込２２に噛み込んで、断熱板２０の両端部が折り返されてしまうことを抑制することができる。
【００４２】
また、上記端部材３０は、上記断熱板２０が下面から切り込まれて形成されたスリット２６ａ，２６ｃのうち断熱板２０の幅方向外側に位置するスリット２６ｃをも覆っているので、上記端部材３０を利用して輸送時等に上記スリット２６ｃに異物が噛み込むことをも防止することができる。
【００４３】
さらに、上記端部材３０は板状体であるので、断熱パネル１０の総厚を小さく抑えることができるため、当該断熱パネル１０を複数枚積み上げたときの嵩高を小さく抑えることができ、効率良く輸送することができる。
【００４４】
さらには、上記板状体が折り曲げ形成されることによりベース部３２と側壁部３４とを有した端部材３０が構成されているので、ベース部３２と側壁部３４とを有した端部材３０を簡単に形成することができるとともに、この端部材３０によって輸送時等に破損し易い断熱板２０のコーナー部及び側面を有効に保護することができる。
【００４５】
一方、輸送後は断熱板２０の両端部を折り返すことにより、図４に示すように上記端部材３０を断熱板２０の幅方向端部から突出させて設置状態とすることができる。そして、この設置状態で当該断熱板２０を垂木５０間に嵌め込めば上記端部材３０を垂木５０上に載置させることができ、断熱パネル１０の脱落を防止することができる。
【００４６】
また、上記切込２２を形成する両側面２２ａ，２２ｂのうち断熱板２０の幅方向内側に位置する側面２２ａは、上方に向かうに従って次第に上記断熱板２０の幅方向内側から外側に向かうように傾斜する傾斜面となっているので、上記断熱板２０の幅方向両端部を折り返したときには上記断熱板２０は下向きに先細りとなるため、当該断熱板２０を垂木５０間に嵌め込み易くすることができる。
【００４７】
さらに、上記断熱板２０における上記切込２２の内側近傍部分のそれぞれには複数のスリット２６ａ，２６ｂ，２６ｃが形成され、これらのスリット２６ａ，２６ｂ，２６ｃの幅が変動するように上記断熱板２０が幅方向に弾性変形可能となっているので、上記垂木５０間の寸法が施工による寸法誤差によって設計値よりもある程度小さくなっている場合でもその寸法に柔軟に対応して上記断熱板２０を上記垂木５０間に圧挿することができる。
【００４８】
このように上記断熱板２０を上記垂木５０間に圧挿することにより、上記断熱板２０はその嵌め込まれた位置で確実に保持されるので、上記断熱板２０の両端部に折り返された状態から元に戻そうとする復元力が働いたとしても断熱板２０の位置ずれを抑制することができる。
【００４９】
さらには、上記断熱板２０の上面２０ｂにはアルミシート４０が貼着されているので、このアルミシート４０によって断熱・遮熱効果を高めることができるだけでなく、上記断熱板２０の両端部を折り返したときに薄肉部２４が破断した場合でも上記アルミシート４０における薄肉部２４の上側に位置する部分を支点として上記断熱板２０の両端部が折り返されるようになり、両端部が分離することを防止することができる。
【００５０】
なお、このような構成の断熱パネル１０は、上記のように断熱板２０を垂木５０間に圧挿して端部材３０を垂木５０上に載置させるだけでも垂木５０間に固定することはできるが、当該断熱パネル１０をより確実に垂木５０に固定するには、上記のように上記端部材３０を垂木５０上に載置させた状態で、この端部材３０に釘等を打ち込んだりこの端部材３０の上に外装用板材を載せて当該外装用板材と垂木５０とで上記端部材３０を挟み込んだりすることにより、端部材３０を利用して簡単かつ確実に断熱パネル１０を垂木５０に固定することができる。
【００５１】
なお、本発明の断熱パネル１０は、上述した実施形態に限定されるものではなく、種々の変更が可能である。
【００５２】
例えば、上記実施形態では、上記切込２２及び薄肉部２４の下面２４ａに幅がある形態を示したが、上記切込２２を２つの傾斜する側面によって上端が尖った形状に形成することも可能であり、これにより薄肉部２４をその切込２２の上端から断熱板２０の上面２０ｂに垂直に延びる面状とすることもできる。
【００５３】
また、上記実施形態のように、上記切込２２及び薄肉部２４の下面２４ａに幅がある場合には、薄肉部２４の下面２４ａを傾斜させずに断熱板２０の上面２０ｂと平行な面とすることも可能であるが、この場合には薄肉部２４における断熱板２０の幅方向外側の部分を支点として断熱板２０の両端部が折り返されると、この薄肉部２４の大部分が折り返されずにそのまま残って当該薄肉部２４が断熱板２０を垂木５０間に嵌め込むときの障害となるおそれがあるのに対し、上記実施形態のように、薄肉部２４の下面２４ａを上記断熱板２０の幅方向外側から内側に向かうに従って当該薄肉部２４の肉厚が薄くなるように傾斜していれば、断熱板２０の両端部の折り返しが薄肉部２４における断熱板２０の幅方向内側の部分２４ｂを支点として行われるようになるので、薄肉部２４の大部分が折り返されるようになり断熱板２０をスムーズに垂木５０間に挿入することができるようになる。
【００５４】
さらに、上記実施形態では、上記双方の切込２２における上記断熱板の幅方向内側に位置する側面２２ａが傾斜面として構成されている形態を示したが、少なくとも一方の下部が傾斜していれば、断熱板２０の両端部を折り返したときに先細りとさせて当該断熱板２０を垂木５０間に嵌め込み易くすることができる。
【００５５】
また、断熱板２０を必ずしも垂木５０間に圧挿する必要はなく、断熱板２０が遊嵌した状態で垂木５０間に挿入されるように上記両切込２２の上端部同士の間の寸法が垂木５０間の寸法よりも小さく設定されていてもよい。この場合には、上記スリット２６ａ，２６ｂ，２６ｃを設けなくてもよい。
【００５６】
一方、上記実施形態では、断熱板２０は幅方向が短く奥行き方向が長い長方形板状である形態を示したが、幅方向が長く奥行き方向が短い長方形板状であってもよい。
【００５７】
また、断熱板２０の下面２０ａ及び上面２０ｂは、互いに平行な面である必要はなく、例えば上面２０ｂが傾斜した面であっても両端部を略１８０°折り返すことは可能である。そして、このように本発明の断熱パネル２０では、断熱板２０の両端部が略１８０°折り返し可能であればよく、その他の部分の形状は特に限定されない。
【００５８】
さらには、端部材３０の側壁部３４は必ずしも必要ではなく、省略可能である。
【００５９】
または、端部材３０としては、図５に示すように、断面が略釣り針状の端部材３０´とすることも可能である。
【００６０】
この端部材３０´は、上記断面略Ｌ字状の端部材３０の側壁部３４の上端部に、上記ベース部３２と対向するように挟持片部３６を設けたものである。
【００６１】
上記挟持片部３６は、上記ベース部３２と同様に板状をなしているが、その姿勢は上記ベース部３２と平行ではなく、先端に向かうに従って上記ベース部３２に近づくように傾斜した姿勢で上記側壁部３４に支持されている。
【００６２】
そして、この挟持片部３６の先端と上記ベース部３２との間の寸法が、上記断熱板２０の板厚よりも小さく設定されることにより、当該挟持片部３５と上記ベース部３２との間に上記断熱板２０が嵌め込まれたときに、図６（ａ）に示すように、当該挟持片部３５が弾性変形してその復元力により当該挟持片部３５と上記ベース部３２とで上記断熱板２０をその板厚方向で挟持できるようになっている。
【００６３】
なお、この挟持片部３６における上記ベース部３２に対向する面の先端部には、上記ベース部３２に向かう方向に突出する返し部３６ａが形成されており、上記挟持状態がより確実に維持されるようになっている。
【００６４】
また、上記挟持片部３６の長さは、上記断熱板２０の側面から上述した薄肉部２４までの距離よりも短く設定されており、図６（ｂ）に示すように、上記薄肉部２４で断熱板２０の端部を折り返すことを妨げないようになっている。
【００６５】
このような端部材３０´を製造するには、熱可塑性合成樹脂を押出し成形してもよいし、または、適所で分割した形状のものをそれぞれ成形しておいて、それらを雄雌嵌合させるようにしてもよい。
【００６６】
この形状の端部材３０´であれば、上記ベース部３２と挟持片部３５との間に断熱板２０の端部を嵌め込むだけで接着剤等を用いなくとも当該端部材３０´を断熱板２０の端部に取付けることができる。また、この端部材３０´を断熱板２０の端部に取付けたときには、当該端部材３０´によって断熱板２０の端部が側方から略コ字状に覆われることになるため、さらに有効に断熱板２０のコーナー部及び側面を保護することができる。
【００６７】
なお、図６では、各スリット２６ａ〜２６ｃの切り込まれる向きが図１〜図４と反対になっているが、このように各スリット２６ａ〜２６ｃは上記断熱板２０の下面２０ａまたは上面２０ｂのどちらから切り込まれていてもよい。
【図面の簡単な説明】
【００６８】
【図１】本発明に係る断熱パネルの斜視図である。
【図２】本発明に係る断熱パネルの正面図である。
【図３】図２の要部拡大図である。
【図４】本発明に係る断熱パネルを垂木間に装着した状態を示す正面図である。
【図５】本発明に係る端部材の他の形態を示した正面図である。
【図６】上記他の形態の端部材を断熱パネルに取付けたときの正面図であり、（ａ）は断熱板の両端部を折り返す前の状態を示し、（ｂ）は断熱板の両端部を折り返した後の状態を示す。
【符号の説明】
【００６９】
１０  断熱パネル
２０  断熱板
２０ａ  下面
２０ｂ  上面
２２  切込
２２ａ，２２ｂ  側面
２４  薄肉部
２４ａ  下面
２６ａ，２６ｂ，２６ｃ  スリット
３０，３０´  端部材
３２  ベース部
３２ａ  平坦面
３４  側壁部
３６  挟持片部
４０  アルミシート
５０  垂木
【図１】
2006125138.tif 000003
【図２】
2006125138.tif 000004
【図３】
2006125138.tif 000005
【図４】
2006125138.tif 000006
【図５】
2006125138.tif 000007
【図６】
2006125138.tif 000008